(57)【要約】      （修正有）【課題】多角形の被照射領域を形成するための反射部材、照明装置、面光源装置、表示装置及び電子機器を提供する。【解決手段】光源からの出射光を反射させる反射部材４であって、平面視において多角形の形状であり、光源が配置される中央底部４２と、中央底部の周囲に、中央底部よりも高くなるように傾斜した傾斜部４４と、を有する少なくとも一つの多角形セル４０を含み、傾斜部の少なくとも一部には、光源からの出射光の一部を、平面視において近接する頂点が配置された方向に反射するように構成された反射領域４５が設けられる。【選択図】図１
2017224495.tif 000002
【特許請求の範囲】
【請求項１】
光源からの出射光を反射させる反射部材であって、
平面視において多角形の形状であり、前記光源が配置される中央底部と、前記中央底部の周囲に、前記中央底部よりも高くなるように傾斜した傾斜部と、を有する少なくとも一つの多角形セルを含み、
前記傾斜部の少なくとも一部には、前記光源からの出射光の一部を、平面視において近接する頂点が配置された方向に反射するように構成された反射領域が設けられることを特徴とする反射部材。
【請求項２】
前記反射領域は、前記多角形セルの頂点Ａと前記多角形セルの中心Ｏと当該頂点Ａに隣接する前記多角形セルの辺の中点Ｂとを頂点とする平面視三角形ＡＯＢの領域内の傾斜部に少なくとも一つ設けられ、前記平面視三角形ＡＯＢの辺ＡＯ側に向かって低くなるように傾斜した反射面を含むことを特徴とする請求項１に記載の反射部材。
【請求項３】
前記傾斜部は、前記辺ＡＯを含む頂部傾斜面と、前記頂部傾斜面の間に設けられた辺部傾斜面とを有し、
前記反射領域は、前記辺部傾斜面に設けられていることを特徴とする請求項２に記載の反射部材。
【請求項４】
前記傾斜部は、前記辺ＡＯを含む頂部傾斜面と、前記頂部傾斜面の間に設けられた辺部傾斜面とを有し、
前記反射領域が、前記頂部傾斜面に設けられていることを特徴とする請求項２又は３に記載の反射部材。
【請求項５】
前記多角形セルの頂点の位置が、前記多角形セルの辺の中点の位置よりも高いことを特徴とする請求項１乃至４の何れか１項に記載の反射部材。
【請求項６】
複数の前記多角形セルを含み、各々の多角形セルの外縁が相互に隣接するように配置されたことを特徴とする請求項１乃至５の何れか１項に記載の反射部材。
【請求項７】
光源と、請求項１乃至６の何れか１項に記載の反射部材と、を備える照明装置。
【請求項８】
前記光源からの出射光を所定の配光状態の光束に制御する光束制御部材を備えることを特徴とする請求項７に記載の照明装置。
【請求項９】
請求項７又は８に記載の照明装置と、前記照明装置の光の出射側に設けられた拡散部材と、を備えたことを特徴とする面光源装置。
【請求項１０】
請求項９に記載の面光源装置と、前記面光源装置からの光が照射される被照明部材と、を備えたことを特徴とする表示装置。
【請求項１１】
請求項１０に記載の表示装置を表示部として備えたことを特徴とする電子機器。
【発明の詳細な説明】
【技術分野】
【０００１】
本発明は、照明技術に関し、特に、光源からの光を受けて被照射平面において略多角形の形状を有する被照射領域を形成する反射部材及びこれを利用した照明装置、面光源装置、表示装置及び電子機器などに関する。
【背景技術】
【０００２】
従来から、複数のＬＥＤ（Light Emitting Diode：ＬＥＤ）をマトリックス状に配置した面光源装置が知られている。この面光源装置は、例えば、液晶表示装置の照明手段（バックライト）として使用され、液晶表示パネルを背面側から面状に照明する。
【０００３】
このような面光源装置（液晶表示パネルの背面側にＬＥＤが配列する直下型）において、ＬＥＤの光量を個々に制御することによって、同一画面内の異なる分割領域のコントラスト比を向上させたり、消費電力を低減したりするローカルディミング（領域別調光制御）の技術が知られている。
【０００４】
ローカルディミング制御のために、矩形型の光束制御部材（矩形レンズ）を用いてＬＥＤの配光を制御する技術や、複数の小孔を設けられた反射シート（フラッター）をＬＥＤの前側に配置して輝度ムラを調整する技術が提案されている。
【０００５】
また、ローカルディミング制御を実現する面光源装置として、光透過性光拡散シートの所望箇所を鮮明な輪郭をもって照明することができる照明体が提案されている（例えば、特許文献１参照）。特許文献１に記載された照明体は、液晶表示装置、照明装置などに利用され、光反射部材と光透過性光拡散シートと光源とを有し、光反射部材において互いに隣接する凹部内に配設された光源から放射される光の干渉を抑制することができる、とされている。
【０００６】
また、面光源装置として、光源からの光を凹面鏡によって反射し、液晶表示パネルに向けて照射する照明装置が知られている（例えば、特許文献２参照）。特許文献２に記載された照明装置によれば、分割領域ごとの独立した輝度制御が可能であり、光束の形状を分割領域の形状に相似した略正方形にすることができる、とされている。
【先行技術文献】
【特許文献】
【０００７】
【特許文献１】特開２０１１−９０９４９号公報
【特許文献２】特開２０１０−２０５６９８号公報
【発明の概要】
【発明が解決しようとする課題】
【０００８】
矩形レンズを用いる場合、矩形レンズの位置ずれ、歪みなどにより、矩形の光束の重ね合わせが生じると、輝度のムラが生じやすくなる。また、矩形レンズを三次元的に設計する必要があるが、設計のフィードバックが困難であるため、設計コストが増大するという問題もある。フラッターを用いる場合、ＬＥＤの灯数を削減できるが、バックライト製造のための全体コストが増大するという問題がある。
【０００９】
特許文献１に記載の照明体（図２５参照）は、熱可塑性樹脂シートにおいて逆截頭四角錐体状の凹部２が多数、縦横方向に成形された光反射部材Ａと、凹部２の底面部２１に配設された光源と、光透過性光拡散シートとによって構成されており、これにより、光透過性光拡散シートの所望箇所を鮮明な輪郭で照明するものである。
【００１０】
しかしながら、特許文献１に記載の逆截頭四角錐体状の凹部２の構成において、平面視矩形の凹部２の対角線方向に沿った二等辺三角形状の連設部２２ｂ′の傾斜は、周壁片部２２ａの傾斜より必然的に緩いものとなる。このため、凹部２の底面部２１の中央に設けられる光源から、連設部２２ｂ′に向けて出射される光は、連設部２２ｂ′の傾斜面において浅い角度で反射するため、凹部２の前方（光の反射方向）に設けられる光透過性光拡散シートに到達しにくい。このため、特許文献１に記載の光反射部材では、光透過性光拡散シートにおける所望箇所を矩形としたい場合、その四隅は十分な明るさが得られない。つまり、特許文献１の照明体では、正確で均一な矩形の被照射領域を得ることが難しい。また、特許文献１に記載の実施例を参照すると、矩形の被照射領域の境界が視認でき、均一な面状照射となっていない。
【００１１】
この点、特許文献２に記載の照明装置における凹面鏡４１（図２６参照）は、平面視正方形の形状を有し、正方形の対角線方向における凹部の曲率（Ｋ３、Ｋ４）を、正方形の横縦方向における凹部の曲率（Ｋ１、Ｋ２）よりも小さく設定し、これにより、略円形の光束を正方形に相似した光束に変換することを実現している。
【００１２】
しかしながら、特許文献２に記載の照明装置は、光源を凹面鏡４１に対して被照射平面側に配置することを前提としており、凹面鏡４１の面積を大きくしようとすれば、光源と凹面鏡４１との間隔を離す必要があるため、照明装置自体が厚くなる。このため、特許文献２に記載の照明装置では、薄型化したまま、分割領域の面積を大きくし、光源の搭載数を減らすことが困難である。
【００１３】
本発明は、前述した問題に鑑みてなされたものであって、かかる問題の少なくとも一部を解決することができる反射部材、照明装置、面光源装置及び表示装置を提供することを目的とする。
【課題を解決するための手段】
【００１４】
前述した課題を解決するため、本発明の反射部材は、光源からの出射光を反射させる反射部材であって、平面視において多角形の形状であり、前記光源が配置される中央底部と、前記中央底部の周囲に、前記中央底部よりも高くなるように傾斜した傾斜部と、を有する少なくとも一つの多角形セルを含み、前記傾斜部の少なくとも一部には、前記光源からの出射光の一部を、平面視において近接する頂点が配置された方向に反射するように構成された反射領域が設けられることを特徴とする。
【００１５】
また、上記反射部材において、前記反射領域は、前記多角形セルの頂点Ａと前記多角形セルの中心Ｏと当該頂点Ａに隣接する前記多角形セルの辺の中点Ｂとを頂点とする平面視三角形ＡＯＢの領域内の傾斜部に少なくとも一つ設けられ、前記平面視三角形ＡＯＢの辺ＡＯ側に向かって低くなるように傾斜した反射面を含んでもよく、前記傾斜部は、前記辺ＡＯを含む頂部傾斜面と、前記頂部傾斜面の間に設けられた辺部傾斜面とを有し、前記反射領域は、前記辺部傾斜面に設けられていてもよい。さらに、前記傾斜部は、前記辺ＡＯを含む頂部傾斜面と、前記頂部傾斜面の間に設けられた辺部傾斜面とを有し、前記反射領域が、前記頂部傾斜面に設けられていてもよい。
【００１６】
また、上記反射部材において、前記多角形セルの頂点の位置が、前記多角形セルの辺の中点の位置よりも高いことが好ましい。また、上記反射部材において、複数の前記多角形セルを含み、各々の多角形セルの外縁が相互に隣接するように配置されていることが好ましい。
【００１７】
また、本発明の照明装置は、光源と、上記反射部材とを備えることを特徴とする。さらに、本発明の照明装置は、前記光源からの出射光を所定の配光状態の光束に制御する光束制御部材を備えていてもよい。また、本発明の面光源装置は、上記照明装置と、前記照明装置の光の出射側に設けられた拡散部材と、を備えたことを特徴とする。また、本発明の表示装置は、上記面光源装置と、前記面光源装置からの光が照射される被照明部材と、を備えたことを特徴とする。また、本発明の電子機器は、上記表示装置を表示部として備えたことを特徴とする。
【発明の効果】
【００１８】
本発明の反射部材によれば、光源又は発光装置（光源及び光束制御部材）から出射された光の一部を、平面視において近接する頂点が配置された方向へ反射するように構成された反射領域を設けたので、頂点付近の光量を多くすることができ、被照射平面においてより均斉度の高い略多角形の形状を有する被照射領域を形成することができる。本発明の照明装置及び面光源装置によれば、より均斉度の高い所望の多角形の被照射領域を実現することができる。さらに、本発明の表示装置によれば、所望の多角形の表示領域を実現でき、精密なローカルディミング制御を実現することも可能となる。その他の効果については、発明を実施するための形態において述べる。
【図面の簡単な説明】
【００１９】
【図１】本発明の実施形態の反射部材の概略平面図
【図２】図１に示す反射部材における一つの多角形セルの概略平面図
【図３】（Ａ）乃至（Ｃ）は、多角形セルの構成例を示す図
【図４】矩形セルの一実施例の平面図
【図５】図４に示す矩形セルにおいて反射領域を示した図
【図６】（Ａ）及び（Ｂ）は、図５に示す矩形セルの第１の基線Ｌ１及び第２の基線Ｌ２における概略断面図
【図７】矩形セルの一実施例の写真
【図８】本発明の照明装置の一実施例の概略平面図
【図９】（Ａ）及び（Ｂ）は、図８に示す照明装置の第１の基線Ｌ１及び第２の基線Ｌ２における概略断面図
【図１０】図８に示す照明装置の反射部材を除いた発光装置の状態におけるファーフィルド配光曲線の計測値（第１及び第２の基線の方向）を示す図
【図１１】図８に示す照明装置のファーフィルド配光曲線の計測値（第１及び第２の基線の方向）を示す図
【図１２】本発明の面光源装置の拡散部材を省略して示す実施例の概略平面図
【図１３】（Ａ）及び（Ｂ）は、図１２に示す面光源装置の第１の基線Ｌ１及び第２の基線Ｌ２における概略断面図
【図１４】（Ａ）は、平坦な反射部材を含む面光源装置（比較例）の概略断面図、（Ｂ）は、図４乃至図６に示す反射部材を含む面光源装置（実施例）の概略断面図
【図１５】図１４（Ａ）及び（Ｂ）に示す各面光源装置の拡散部材を除いた照明装置の状態における１灯当たりのニアフィールド配光曲線の計測値（第１の基線の方向）を示す図
【図１６】（Ａ）及び（Ｂ）は、図１４（Ａ）及び（Ｂ）に示す各面光源装置の拡散部材を除いた発光装置の状態の点灯時の平面写真。
【図１７】（Ａ）及び（Ｂ）は、図１４（Ａ）及び（Ｂ）に示す各面光源装置（拡散部材を含む）の点灯時の平面写真。
【図１８】（Ａ）及び（Ｂ）は、図１４（Ａ）及び（Ｂ）に示す各面光源装置（拡散部材を含む）の点灯時の輝度分布を示す図。
【図１９】（Ａ）及び（Ｂ）は、図１８（Ａ）及び（Ｂ）に示す図を画像処理してムラを強調した図。
【図２０】第１の基線Ｌ１の方向における図１４（Ａ）及び（Ｂ）に示す各面光源装置（拡散部材を含む）の点灯時の断面輝度分布の計測値を示す図
【図２１】第２の基線Ｌ２の方向における図１４（Ａ）及び（Ｂ）に示す各面光源装置（拡散部材を含む）の点灯時の断面輝度分布の計測値を示す図
【図２２】矩形セルの第１の変形例
【図２３】矩形セルの第２の変形例
【図２４】矩形セルの第３の変形例
【図２５】第１の従来例を示す説明図。本図は、特許文献１の図８を引用したものである。
【図２６】第２の従来例を示す説明図。本図は、特許文献２の図７（Ｃ）を引用したものである。
【発明を実施するための形態】
【００２０】
[本発明の概要]
[反射部材] 
図１は、本発明の実施形態の反射部材４の概略平面図である。図２は、図１に示す反射部材４における一つの矩形セル４０の概略平面図である。ここで、反射部材の寸法を横（Ｘ軸方向）、縦（Ｙ軸方向）、高さ（Ｚ軸方向）で表す場合、Ｚ軸は光軸と平行となる。被照射平面は、反射部材４によって反射された光の照射方向における任意のＸＹ平面であり、被照射領域の形状及び面積、照射光の形状などを特定する際に使用する。また、被照射平面側からＺ軸方向に観た場合を「平面視」と呼び、Ｚ軸に垂直な方向から観た場合を「断面視」と呼ぶ。なお、図１及び図２は、本発明の原理を説明するための図であり、多角形セルの一つとして矩形セルを採用した例であるが、本発明の反射部材は、図１及び図２に示した形状、寸法、配置に限定されるものではない。
【００２１】
本発明の反射部材４は、光源２（又は光源２と光束制御部材３を含む発光装置１）から出射された光を反射して、光源２の光軸に直交する被照射平面において略多角形の形状を有する被照射領域を形成するものである。反射部材４は、少なくとも一つ以上の多角形セル４０を有し、多角形セル４０は、光源２（又は発光装置１）が配置される中央底部４２と、中央底部の周囲に、中央底部よりも高くなるように傾斜した傾斜部４４（図中ハッチングで示した領域）とを有し、傾斜部４４には反射領域４５が設けられている。反射領域４５は、光源２からの出射光の一部２Ａを平面視において近接する多角形セル４０の頂点Ａが配置された方向に反射するように構成される。頂点Ａが配置された方向に反射するとは、頂点Ａに向けて反射する場合に限定されず、平面視において放射状に出射した光の角度を頂点側に偏向できればよい。これにより、本発明の反射部材４によれば、多角形セル４０の各頂点Ａ付近に向かう光量を多くして、被照射平面において多角形セルに対応した多角形状の光束を照射することができ、均斉度の高い照明を実現できる。
【００２２】
反射部材４は、薄いシート状であることが好ましく、全体として平坦であることが好ましい。本発明の反射部材４は、複数の多角形セル４０を配列させた構成でもよいし（図１参照）、一つの多角形セル４０だけで構成してもよい（図２参照）。
【００２３】
多角形セル４０は、平面視で多角形の形状（代表的には矩形）であり、中央底部４２と、その周囲に設けられた傾斜部４４とにより、断面視では、外縁が高く、中央底部が低くなり、全体として中央が窪んだ形状となる。多角形セル４０の外縁は、多角形の各頂点Ａと、各頂点Ａを結ぶ辺Ｍとによって構成される。多角形セル４０の外縁（辺Ｍ）は、平面視で多角形を構成する輪郭に相当する部分であり、直線であるが、断面視では頂点Ａ間を直線で結ぶ構成に限定されず、Ｚ軸方向の高さが途中で変位している折れ線、曲線又はそれらの組合せで構成されていてもよい。平面視での多角形セル４０の中心点Ｏと、中央底部の中心点とは一致することが好ましく、かかる中心点Ｏに光源２（又は発光装置１）の光軸が配置されることが好ましい。中央底部におけるＸＹで規定される平面を基準面（例えば、図６の符号Ｓ）とする。
【００２４】
多角形セル４０の形状は、三角形、四角形、五角形、六角形等の種々の形状を採用することが可能である（図３参照）。反射部材４が複数の多角形セル４０によって構成される場合、各多角形セル４０の形状及び大きさは同じであることが好ましいが、明るさの異なる複数の光源を実装する場合は、光源の明るさに応じて多角形セル４０の形状及び大きさを異ならせてもよい。さらに、反射部材４が複数の多角形セル４０によって構成される場合、多角形セル４０として、三角形（正三角形、直角三角形、二等辺三角形などを含む）、四角形（正方形、長方形、平行四辺形などを含む）又は六角形（正六角形、平行六角形などを含む）とすることにより、各多角形セル４０の外縁を相互に隣接するように配置させて隙間のない平面を構成することができるので好ましい。特に、多角形セル４０として矩形セルを構成すれば、複数の多角形セル４０で構成される反射部材自体も矩形とすることができるのでさらに好ましい。例えば、図１に示すように、反射部材４が平面視で正方形の複数の矩形セル４０を含み、各矩形セル４０の各々の外縁が隙間なく相互に隣接するようにマトリクス状に配置することにより、反射部材４自体も全体として平面視で矩形にできる。多角形セル４０は、各辺の長さがおおむね等しい略正多角形として構成してもよいし、使用の目的及び態様に応じて、各辺の長さが等しくない変形した形状として構成してもよい。なお、多角形セルの各頂点Ａは、２本の直線によって構成された角でもよいし、丸みを帯びていてもよい。
【００２５】
多角形セル４０の中央底部４２は、光源２（又は発光装置１）が配置される領域であり、光源２（又は発光装置１）とほぼ同じ大きさであってもよいし、光源２（又は発光装置１）よりも大きくてもよい。また、中央底部４２は、光源２（又は発光装置１）を実装するために一つ又は複数の開口が設けられていてもよい。中央底部４２は所望の傾斜部４４を構成するために適宜の形状を採用することができ、平面視において三角形、四角形、五角形、六角形等の多角形、十字、五芒星、六芒星等の星形多角形、円形、楕円形を含む種々の形状又はこれらの形状の組合せを採用することができる（図３参照）。
【００２６】
多角形セル４０の傾斜部４４は、中央底部よりも高くなるように傾斜した構造であり、少なくとも一部には、光源２（又は発光装置１）からの出射光の一部２Ａを、平面視において近接する多角形セル４０の頂点Ａが配置された方向に反射するように構成された反射領域４５が設けられる。傾斜部４４は、複数の平面又は曲面を組み合わせて構成することができる。この場合、複数の平面又は曲面のうちの一部は、反射領域４５として機能する（例えば、図５の網掛部）。
【００２７】
反射領域４５は、多角形セルの頂点Ａと多角形セルの中心Ｏと当該頂点Ａに隣接する多角形セルの辺Ｍの中点Ｂとを頂点とする平面視三角形ＡＯＢの領域内の傾斜部に少なくとも一つ設けられることが好ましい。また、反射領域４５は、平面視三角形ＡＯＢの辺ＡＯ側に向かって低くなるように傾斜した反射面を含み、当該反射面によって出射光の一部２Ａを頂点Ａが配置された方向に反射する。このような反射領域は、辺ＡＯから辺ＢＯの間の領域に頂点Ａより低い高さの「隆起」を設けることにより形成することができる。反射領域は、平面視三角形ＡＯＢの領域内に中心Ｏからの光を平面視において近接する頂点Ａに反射するように傾斜した山折りの境界を少なくとも一つ設けることにより形成することもできる。辺ＡＯ及び辺ＢＯは、平面視では直線であるが、断面視では直線ではなく、Ｏ側が低く、Ａ及びＢ側が高くなるように折れ線、曲線又はそれらの組合せで構成されていている（図６参照）。なお、反射領域４５は、図３（Ａ）に示すように、少なくとも、頂点Ａに隣接する２つの辺Ｍの何れか一方の領域（三角形ＡＯＢ）に設けられていればよいが、多角形セルが辺ＡＯに対して対称な場合は、反射領域４５も頂点Ａの両側に設けられていることが好ましい。また、反射領域４５は、その一部が平面視三角形ＡＯＢの領域を越えていてもよい。
【００２８】
傾斜部４４は、多角形セル４０の各頂点Ａのそれぞれに対応して形成される辺ＡＯの一部を含む頂部傾斜面４６を有してもよい。頂部傾斜面４６は、多角形セル４０の頂点Ａ及びその近傍を含む領域であることが好ましい（図２、図３参照）。頂部傾斜面４６は、一つの頂点Ａにつき１つでもよいし、複数でもよい。さらに、傾斜部４４は、各頂点に対応する頂部傾斜面４６の間に形成される辺部傾斜面４８を有してもよい。辺部傾斜面４８は多角形セル４０の辺Ｍの中点Ｂ又はその近傍を含むことが好ましい（図２、図３参照）。なお、頂部傾斜面４６と辺部傾斜面４８とが連続的に形成されてもよい。
【００２９】
反射領域４５は、頂部傾斜面４６に設けられてもよいし（図３（Ａ））、辺部傾斜面４８に設けられてもよいし（図３（Ｃ））、頂部傾斜面４６及び辺部傾斜面４８の両方に設けられてもよい（図２、図３（Ｂ））。また、反射領域４５は、必ずしも、光源２からの出射光を１回の反射で頂点Ａの方向へ向ける必要はない。複数の反射領域４５が、複数回の反射を繰り返ることにより出射光を少しずつ頂点Ａの方向へ向けてもよい。  また、多角形セル４０の各頂点Ａの位置が、前記多角形セルの辺の中点の位置よりも高いことが好ましい。特に、頂点Ａが、多角形セル４０の外縁における最高点に位置するように設けられることが好ましい（図６参照）。なお、図４乃至６に示す例では、頂部傾斜面４６の最大傾斜部の傾斜角度が、辺部傾斜面４８の傾斜角度よりも大きく形成されている。このように傾斜角度を調整することで頂点Ａ付近の光量を増やしてもよい。
【００３０】
図２に示す例では、傾斜部４４には、矩形セル４０の４つの頂点Ａに対応して、４つの頂部傾斜面４６が設けられている。頂部傾斜面４６は、頂点Ａを含むように構成されている。また、傾斜部４４には、頂部傾斜面４６の間に形成される辺部傾斜面４８が設けられている。光源２は、矩形セル４０（中央底部４２）の中心点Ｏに配置される。
【００３１】
矩形セル４０の中心点Ｏと各頂点Ａとを結ぶ線を第１の基線Ｌ１（Ａ−Ａ対角線）、矩形セル４０の中心Ｏと、辺Ｍを二等分する中点Ｂと結ぶ線を第２の基線Ｌ２（Ｂ−Ｂ分割線）とすると、頂部傾斜面４６は、第１の基線Ｌ１の方向に沿って頂点Ａに向かって高くなるように傾斜し、辺部傾斜面４８は、第２の基線Ｌ２の方向に沿って辺Ｍの中点Ｂに向かって高くなるように傾斜する。ただし、頂部傾斜面４６及び辺部傾斜面４８は、複数の傾斜平面及び／又は曲面を組み合わせて構成することができるため、頂部傾斜面４６の第１の基線Ｌ１の方向に沿った傾き、及び辺部傾斜面４８の第２の基線Ｌ２の方向に沿った傾きは、一定でなくともよく、増減してもよい。また、頂部傾斜面４６及び辺部傾斜面４８は、頂点Ａ又は中点Ｂに向かって低くなるように傾斜する領域を一部に含んでもよい。
【００３２】
反射部材４は、光源２からの光を受ける領域が光反射性を有する材料から構成されていればよく、例えば、熱可塑性樹脂シートを所定の多角形セルの形状にプレス加工、真空加工、圧空加工することによって形成することもできるし、所定の形状の多角形セルがあらかじめ形成された基台の表面に反射性を有する材料を塗布、蒸着等することによって構成することもできる。さらに、反射部材の表面は、光散乱性を有していてもよい。
【００３３】
図１及び図２に示した例では、多角形セル４０の一つとして矩形セル（略正方形）を構成した場合を説明したが、本発明の反射部材４における多角形セル４０の構成はこれに限定されず、例えば、図３（Ａ）乃至（Ｃ）に示すように、平面視が長方形、三角形、六角形のセルとして構成することもができる。
【００３４】
図３（Ａ）に示す長方形セル４０Ａは、六角形の中央底部４２の周囲に、４つの頂点Ａに対応するように設けられた平面視で五角形の４つの頂部傾斜面４６を有し、隣接する頂部傾斜面４６の間に４つの辺部傾斜面４８を有する。反射領域４５は、各頂部傾斜面４６の長辺側の平面視三角形ＡＯＢの領域内に設けられており、長辺側に射出された光の一部を近接する頂点Ａ側に向けて反射するように構成されている。図３（Ｂ）に示す三角形セル４０Ｂは、外縁に相似な三角形の中央底部４２の周囲に、３つの頂点Ａに対応するように設けられた平面視で略菱形の３つの頂部傾斜面４６を有し、隣接する頂部傾斜面４６の間に３つの辺部傾斜面４８を有する。反射領域４５は、各平面視三角形ＡＯＢの領域内において、頂部傾斜面４６及び辺部傾斜面４８にそれぞれ設けられている。図３（Ｃ）に示す六角形セル４０Ｃは、外縁に相似な六角形の中央底部４２の周囲に、６この頂点Ａに対応するように設けられた平面視で凧形の６この頂部傾斜面４６を有し、隣接する頂部傾斜面４６の間に６この辺部傾斜面４８を有する。反射領域４５は、各平面視三角形ＡＯＢの領域内において、辺部傾斜面４８（隣り合う辺部傾斜面４８に亘って）に設けられる。
【００３５】
［照明装置］
本発明の照明装置（例えば、図８及び図９参照）は、所定の配光状態の光を照射する光源２又は発光装置１（光源２及び光束制御部材３）と、上記反射部材４（多角形セル４０）とを組み合わせた装置であり、例えば、ＸＹ断面が略円形の光束をＸＹ断面が略多角形の光束に変換して、被照射平面において略多角形の被照射領域を形成するものである。光源２又は発光装置１は、基準面に対してその光軸が垂直となるように反射部材４の多角形セル４０の中央底部４２（の中心点Ｏ）に配置されることが好ましい。なお、光源２又は発光装置１は、図８及び図９に示すように、多角形セル４０の中央底部４２に設けられた開口内に配置されてもよいし、開口を覆うように配置し、開口を通じて光源２又は発光装置１の端子を基板に実装してもよい。
【００３６】
照明装置６は、被照射領域が、複数の多角形セル４０からの光の反射により、複数の多角形を組み合わせた形状となっている場合、個々の多角形セル４０の光源２の光量を制御することにより、コントラスト比の異なる分割領域を実現することもできる。分割領域は、光源２をオフとして光のない暗部としてもよい。
【００３７】
光源２は、ＬＥＤ、電球、キセノンランプ、半導体レーザー、有機ＥＬ素子、超小型蛍光管などを採用することができる。
【００３８】
光束制御部材３は、光源２とともに配置され、光源２からの出射光を所定の配光状態の光束に制御する。光源２としてＬＥＤを採用する場合（以下、ＬＥＤ光源２ともいう。）、ＬＥＤ光源２は、一般の電球などとは異なり、特定の指向性を有する。かかるＬＥＤ光源２を反射部材４の中央底部４２に設けた場合、ＬＥＤ光源２からは、光軸方向（Ｚ軸方向）に最も強いピークを有する配光状態の光が出射される。このため、被照射平面において、光源の直上に対応する部分は、強い輝点となりやすく、均一な面発光としては好ましくない。なお、光源２自体の配光状態が照明装置として問題なければ拘束制御部材３は必要ない。
【００３９】
本発明では、ＬＥＤ光源２からの光を所定の角度の方向にピークを有する配光状態の光束に制御する光束制御部材３を含む発光装置１を利用することができる。光束制御部材３は、ＬＥＤからの出射光を光軸（Ｚ軸に平行）から所定の角度（４５°以上、好ましくは６０°以上（ＸＹ平面に対しては４５°以下、より好ましくは３０°以下）、より好ましくは辺部傾斜面の傾斜角度以下）の方向にピークを有する配光状態の光に制御するレンズであることが好ましい。そして、反射部材４の多角形セル４０の中央底部４２に、かかる発光装置１を配置することによって、光軸Ｒに対して大きな角度で外側へ向けて放射される光束を効率的に略多角形の光束に変換し、被照射平面において比較的正確な多角形の被照射領域を形成することができる。
【００４０】
反射部材４の寸法、反射部材４を構成する多角形セル４０の形状、大きさ及び外縁の高さなどは、配置される光源２又は発光装置１の配光状態、被照射平面（拡散部材）までの距離などによって適宜設定されるが、配光状態における所定の角度は、外縁の高さに対応させて設定し、光源２又は発光装置１から放射される光束の大部分が反射部材４に照射されるように構成されることが好ましい。これにより、本発明の照明装置６は、多角形の形状であって均斉度の高い明るさを有する被照射領域を形成することができる。
【００４１】
［面光源装置等］
さらに、本発明の面光源装置（例えば、図１２及び図１３参照）は、少なくとも、光源２又は発光装置１と上記反射部材４（すなわち、上記照明装置６）と拡散部材５を有する。拡散部材５は、照明装置６の光の出射側に設けられ、透光性の材料から構成される。本発明の面光源装置７は、多角形の形状であって均斉度の高い明るさを有する被照射領域を、例えば、拡散部材５上において形成することができる。
【００４２】
本発明の照明装置６又は面光源装置７は、例えば、表示パネルのバックライト、電飾看板、内照式標識、照明手段などに適用でき、特に、特殊な形状の光を照射する場合にも適用可能である。
【００４３】
また、本発明の表示装置は、上記面光源装置７と、該面光源装置７からの光が照射される被照明部材とを備える。被照明部材は、例えば、液晶表示パネル、電飾看板、内照式標識等である。本発明の表示装置は、面光源装置７によって、特定の被照射領域ごとにローカルディミング制御することができ、例えば、液晶表示パネルの所望の分割領域ごとに際立った黒色の表現が可能となる。また、本発明の表示装置は、照明部材（表示パネル）において、分割領域ごとに、多角形の形状であって均斉度の高い明るさを有する被照射領域を形成することもできる。
【００４４】
また、本発明の電子機器は、かかる表示装置を表示部として備えている。電子機器としては、携帯電話、カーナビゲーションシステム用の表示装置や、ＰＤＡ（Personal Digital Assistants）、モバイルコンピューター、デジタルカメラ、デジタルビデオカメラ、車載機器、オーディオ機器、携帯用ゲーム機、信号機等を例示することができるが、これらに限定されるものではない。
【００４５】
以下、本発明の実施形態について図面を参照して説明する。ただし、本発明は、以下の例に限定されるものではない。
【００４６】
[実施例]
図４は、本発明を実施した矩形セル４０の平面図である。図５は、図４に示す矩形セル４０において反射領域４５を示した図である。図６（Ａ）は、図５に示す矩形セル４０の第１の基線Ｌ１に平行な概略断面図であり、図６（Ｂ）は、第２の基線Ｌ２に平行な概略断面図である。図７は、矩形セル４０の実施例の写真である。図４乃至図７に示すように、矩形セル４０は、複数の傾斜した平面領域（切片）を組み合わせて立体的に構成されるが、理解の一助とするため、図４において、各平面領域の境界について山折りとなる境界（両平面（曲面の場合は近接する２点の接平面）の表面の成す角が１８０度より大きい境界）を実線で、谷折りとなる境界（両平面の表面の成す角が１８０度未満の境界）を点線で示す。
【００４７】
矩形セル４０は、平面視で、縦横が５０ｍｍ×５０ｍｍの正方形であり、中心点Ｏから各辺（外縁）Ｍの中点Ｂまでの距離は２５ｍｍである。矩形セル４０は、正方形の中央底部４２と、中央底部４２から各辺Ｍまでの間に設けられた複数の傾斜面４６Ａ〜４６Ｃ、４８Ａ〜４８Ｉから構成される傾斜部とを有している。矩形セル４０の傾斜部は、中心点Ｏに対して４回対称である。
【００４８】
図５において、矩形セル４０に示された頂点Ａ、中点Ｂ、及びその他の点Ｐ１乃至Ｐ６は、図６の断面図において同一の符号で示される各点に対応している。図６から、本実施例の矩形セル４０の場合、基準面Ｓ（中央底部４２）から頂点Ａ、中点Ｂ、点Ｐ１、点Ｐ２、点Ｐ３、点Ｐ４、点Ｐ５、点Ｐ６及び中心点Ｏまでの高さを、それぞれ、ｈ（Ａ）、ｈ（Ｂ）、ｈ（Ｐ１）、ｈ（Ｐ２）、ｈ（Ｐ３）、ｈ（Ｐ４）、ｈ（Ｐ５）、ｈ（Ｐ６）及びｈ（Ｏ）とすると、ｈ（Ａ）＞ｈ（Ｐ１）＞ｈ（Ｐ２）＝ｈ（Ｂ）＞ｈ（Ｐ３）＞ｈ（Ｐ４）＞ｈ（Ｐ５）＝ｈ（Ｐ６）＝ｈ（Ｏ）の関係が成立する。具体的には、ｈ（Ａ）＝６．８３ｍｍ、ｈ（Ｐ１）＝５．８３ｍｍ、ｈ（Ｐ２）＝ｈ（Ｂ）＝４．５ｍｍ、ｈ（Ｐ３）＝１．２５ｍｍ、ｈ（Ｐ４）＝０．３６ｍｍ、ｈ（Ｐ５）＝ｈ（Ｐ６）＝ｈ（Ｏ）＝０．０ｍｍである。
【００４９】
図４において、傾斜面４６Ａ、４６Ｂ及び４６Ｃが、辺ＡＯを含むので、頂部傾斜面４６であり、頂部傾斜面４６は、各頂点Ａに対応するように４つ設けられている。ある頂点の頂部傾斜面４６と隣接する他の頂点の頂部傾斜面４６との間に配置された傾斜面４８Ａ〜４８Ｉが辺部傾斜面４８であり、辺部傾斜面４８は各頂部傾斜面４６の間に４つ設けられている。
【００５０】
頂部傾斜面４６Ａ及び４６Ｂは、辺ＡＯに対して対称であり、辺ＡＯ側が低くなるような傾斜を有しており（辺ＡＯが谷折りの境界となっている）、図５に示すように反射領域（反射面）４５の１つである。頂部傾斜面４６Ｃは辺ＡＯを含んでいるが、辺ＡＯの傾斜と同じ傾斜角の平面であり、光源２からの出射光の一部２Ａを反射するが、平面視において近接する多角形セル４０の頂点Ａが配置された方向に反射するものではないので、本発明の反射領域（反射面）ではない。
【００５１】
１つの辺部傾斜面４８は、９つの平面領域（三角形切片）４８Ａ乃至４８を組み合わせて立体的に構成される。辺部傾斜面４８Ｆは、辺部傾斜面４８Ｄとの境界が山折りとなっており、辺ＡＯ側が低くなるような傾斜を有しており、光源２からの出射光の一部２Ａを平面視において近接する多角形セル４０の頂点Ａが配置された方向に反射するので、図５に示すように反射領域（反射面）４５の１つである。辺部傾斜面４８Ｇも同様に、辺部傾斜面４８Ｅとの境界が山折りとなっており、反射領域（反射面）４５の１つである。このように、矩形セル４０は、中心Ｏからの光を平面視において近接する頂点Ａに反射するように傾斜した山折りの境界が平面視三角形ＡＯＢの領域内に少なくとも一つ設けられている。
【００５２】
なお、頂部傾斜面４６及び辺部傾斜面４８の各三角形切片は、平面ではなく、全部又は一部が曲面により構成されていてもよい。図示した頂部傾斜面４６及び辺部傾斜面４８の立体的な形状は、単なる一例であり、適宜の形状の切片を組み合わせて所要の斜面を構成することができる。
【００５３】
また、図５に示すように、各頂点Ａにおいて、頂部傾斜面４６の三角形切片４６Ａ及び４６Ｂと、辺部傾斜面４８の三角形切片４８Ｆ及び４８Ｇが、反射領域４５（図５の網掛部）として構成される。反射領域４５（三角形切片４６Ａ、４６Ｂ、４８Ｆ及び４８Ｇ）は、頂点Ａの両側の平面視三角形ＡＯＢの領域内において、頂部傾斜面４６及び辺部傾斜面４８にそれぞれ設けられている。図５の第１の基線Ｌ１（辺ＡＯ）の断面視（図６（Ａ））によって、辺ＡＯが平面視は直線であるが、断面視は、頂点Ａから点Ｐ４までの第１の傾斜角の直線と、点Ｐ４から点Ｐ５までの第２の傾斜角の直線と、点Ｐから中心点Ｏまでの水平な直線とで構成されており、左右両側の頂点Ａに対する反射領域４５（左側の反射領域４５に網掛けを付した）が隆起していることが観察でき、辺ＡＯに対して反射領域４５が傾斜していることが確認できる。なお、図６の断面視から、矩形セル４０の各頂点Ａは、矩形セル４０の外縁において最高点に位置していることも確認できる。
【００５４】
ここで、反射部材の矩形セルとして、従来の方法（例えば、特許文献１及び図２５参照）に従い、例えば、逆截頭正四角錐の窪みを有する矩形セルを構成した場合、矩形セルの外縁の高さは同じであるので、矩形セルの中心点に点光源を置き、点光源から光を放射状に出射すると、第２の基線の方向（各辺の中点の方向）に進み、矩形セルの傾斜部で反射される光の仰角範囲に対し、第１の基線の方向（頂点の方向）に進み、傾斜面で反射される光の仰角範囲が狭くなり、被照射平面側に向けて反射する割合が第１の基線の方向で少なくなる。このように、従来の方法では、被照射平面における被照射領域の明るさが一定とならず、明るい部分と暗い部分が生じることがある。具体的には、従来の矩形セルの反射部材では、被照射領域の四隅に暗い部分が生じるので、正確な矩形が表示できなかった。
【００５５】
この点、本発明の反射部材では、反射領域４５によって矩形セルの各辺に進む光の一部を近接する多角形セル４０の頂点Ａが配置された方向に反射させることができるので、従来の矩形セルでは暗かった被照射領域の四隅の光量を多くすることができ、均斉度を高めることができる。
【００５６】
また、本発明の反射部材の一態様では、矩形セルの外縁において、頂点Ａが各辺の中点Ｂよりも高いので、第１の基線Ｌ１の方向に進み、傾斜面で反射される光の仰角範囲を従来に比べて大きくすることができ、比較的高い仰角で出射された光であっても、頂部傾斜面で反射させることができる。このように、本発明の反射部材の一態様によれば、上記反射領域の効果に加えて、光源から出射され、第１の基線の方向に進む光の大部分を頂部傾斜面で受けて、被照射平面に向けて反射させることができるので、被照射平面において矩形セルの形状に相似した略矩形の被照射領域を形成することができ、四隅に暗点のない比較的正確な矩形の形状の照明を実現することができる。
【００５７】
さらに、従来の方法（例えば、特許文献２及び図２６参照）とは異なり、反射部材４において発光装置１が置かれる中央底部４２と拡散部材５までの距離を短くすることができるので、薄型の照明装置及び面光源装置を実現できる。また、矩形セルの面積を比較的大きくすることができるので、光源（ＬＥＤ）の搭載数が少ない大面積の照明装置及び面光源装置を構成することができる。さらに、隣接する矩形セルから出射される光が被照射平面において重なり合うことが少ないので、被照射平面における分割領域ごとの輝度制御が可能である。
【００５８】
図８は、本発明の照明装置６の実施例の概略平面図であり、図４乃至図６に示す反射部材（一つの矩形セル４０）に発光装置１を組み合わせたものである。図９（Ａ）及び（Ｂ）は、図８に示す照明装置６の第１の基線Ｌ１及び第２の基線Ｌ２における概略断面図である。図８及び図９に示すように、光源２及び光束制御部材３を含む発光装置１が、矩形セル４０の中央底部４２に形成された開口内に、光軸が中心点Ｏと重なるように配置されている。
【００５９】
図１０は、図８に示す照明装置６で使用した発光装置１（ＬＥＤ光源２及び光束制御部材３）単体のファーフィルド配光曲線の計測値（第１及び第２の基線の方向）を示す図であり、図１１は、図８に示す照明装置６のファーフィルド配光曲線の計測値（第１及び第２の基線の方向）を示す図である。いずれの計測も、ＬＥＤ光源２の発光中心から１０００ｍｍ離れた位置において、第１の基線Ｌ１における断面の配光曲線と第２の基線Ｌ２における断面の配光曲線を計測した。図１０及び図１１の縦軸は、照度［ｌｘ］であり、横軸は、光軸方向を０°とし、そこを中心として左右９０°までの各放射角度の照度を１度ごとに測定した結果である。
【００６０】
通常、ＬＥＤ光源２の配光曲線は、光軸方向にピークを有するものとなるが、図１０に示した発光装置１の配光曲線は、光束制御部材３の機能によって、斜め側方に照射される光が強くなるので、光軸に対して±８０°〜８５°付近に最も強い鋭いピークを有するものとなっている。ただし、ローカルディミング制御の分割領域の区画サイズ（被照射領域）、光源から被照射平面までの距離等に応じて、拘束制御部材３の構成を変更させてピーク位置を変更させてもよい。なお、ＬＥＤ光源２及び発光装置１はともに、光軸の周りに対称な光束を照射するものであるので、図１０では、第１の基線Ｌ１における断面の配光曲線の計測値１２Ａと第２の基線Ｌ２における断面の配光曲線の計測値１２Ｂとの間にほとんど差異がなく重なっている。
【００６１】
図１１に示した本発明の照明装置６の配光曲線において、第１の基線Ｌ１における断面の計測値１３Ａ（実線）、及び第２の基線Ｌ２における断面の計測値１３Ｂ（点線）のいずれにおいても、光軸に対して０°〜±５０°付近におけるピーク間の光強度が図１０に示した発光装置１の配光曲線よりも大きくなっており、被照射領域を全体的に明るくすることができている。さらに、第１の基線Ｌ１における断面の計測値１３Ａ（実線）では、±５０°〜８０°付近にかけて幅の広いピークが検出され、特に、第２の基線Ｌ２における断面の計測値１３Ｂ（点線）に比べて±６０°〜７６°の範囲において照度が増加している。例えば、中心点Ｏから光軸に対して±６０°〜７６°で出射した光は、基準面Ｓから光軸方向に８ｍｍ離れた被照射平面において、光軸から約１３．８６ｍｍ〜３２．０９ｍｍの位置に到達する。基準面Ｓから光軸方向に８ｍｍ離れた被照射平面において５０ｍｍ×５０ｍｍの矩形の被照射領域を形成する場合、矩形の中心（光軸）から各辺の中点までの距離は２５ｍｍであるが、矩形の中心（光軸）から各頂点までの距離は約３５．３６（２５ｍｍ×２1/2）ｍｍとなる。本実施例の照明装置６（矩形セル４０）では、頂点Ａに向かう第１の基線Ｌ１方向において、±６０°〜７６°の範囲の照度を増加させ、被照射領域における矩形の頂点付近を明るくすることができる。
【００６２】
また、本実施例の照明装置６（矩形セル４０）では、矩形セル４０の頂点Ａの基準面Ｓに対する高さはｈ（Ａ）＝６．８３ｍｍであり、中心点Ｏから第１の基線Ｌ１方向に出射した光のうち、光軸から７９度以上の光は矩形セル４０の傾斜部４４に入射し、傾斜部４４によって反射される。一方、矩形セル４０の辺Ｍの中点Ｂの基準面Ｓに対する高さはｈ（Ｂ）＝４．５ｍｍであり、中心点Ｏから第２の基線Ｌ１方向に出射した光のうち、光軸から７９．８度以上の光は矩形セル４０の傾斜部４４に入射し、傾斜部４４によって反射される。このように、本実施例の照明装置６では、矩形セル４０の頂点Ａの高さを辺の中点Ｂよりも高くし、頂点Ａの方向に出射された光についても同程度の範囲の光を反射部材によって反射させ、被照射領域における均斉度を向上させることができる。
【００６３】
このように、本発明の照明装置の一例によれば、反射領域を設けることにより、矩形状の被照射領域において暗くなりやすい隅部の明るさを補うための光の光量を増やすことができた。また、矩形セルの頂点の高さを高くすることにより、頂点方向の光を効果的に反射させることができ、矩形状の被照射領域において暗くなりやすい隅部の明るさを補うための光の光量を増やすことができた。
【００６４】
図１２は、本発明の面光源装置７の実施例の概略平面図である。便宜上、面光源装置の拡散部材５（図１３参照）を省略して示している。図１３（Ａ）は、図１２に示す面光源装置７の第１の基線Ｌ１における概略断面図であり、図１３（Ｂ）は、第２の基線Ｌ２における概略断面図である。
【００６５】
図１２及び図１３に示すとおり、面光源装置７は、縦横に５×５に配列させた図４乃至図６に示す矩形セル４０を含む反射部材４と、各矩形セル４０の中心に配置された発光装置１と、光束の出射側（Ｚ軸側）に設けられた拡散部材５とを備えた装置であり、発光装置１と反射部材４とを含む照明装置６は、筐体１０に格納されている。発光装置１が実装される基板表面（基準面Ｓ）から拡散部材５の光源側表面（被照射平面）までの距離は８ｍｍである。
【００６６】
発光装置１は、光源２及び光束制御部材３を含み、照明装置６は、発光装置１及び矩形セル４０を含む。各矩形セル４０及び照明装置６の構造については、図４乃至図９において説明したとおりである。以下、本発明の反射部材を使用した面光源装置（図１４（Ｂ））と比較例（図１４（Ａ））とを用いて、本発明の反射部材の光学特性を確認した。
【００６７】
図１４（Ａ）は、平坦な反射部材１００を含む面光源装置７０の概略断面図（比較例）であり、図１４（Ｂ）は、図１２及び１３を２×２配列とした面光源装置７の概略断面図（実施例）である。
【００６８】
図１４（Ａ）に示す面光源装置７０（比較例）は、本発明の面光源装置７（実施例）との比較のために構成したものであり、平坦な反射部材１００上に発光装置１を設けた点で相違し、発光装置１の構成、配置間隔などは図１４（Ｂ）のものと同じである。
【００６９】
図１５は、図１４（Ａ）及び（Ｂ）に示す各面光源装置７０、７から拡散部材５を除いた場合（照明装置）の１灯当たりのニアフィールド配光曲線の計測値（第１の基線Ｌ１の方向）を示す図である。いずれの計測も、ＬＥＤ光源２の発光中心から１５０ｍｍ離れた位置において、第１の基線Ｌ１における断面の光軸方向を０°とし、そこを中心として左右９０°までの各放射角度の照度を１度ごとに測定した結果である。図１５の横軸は、放射角度であり、縦軸は、最大値を１としたときの相対照度である。本実施例の照明装置（拡散部材５を除いた面光源装置７）の配光曲線１５Ｂは、平坦な反射部材１００を用いた照明装置（拡散部材５を除いた面光源装置７０）の配光曲線１５Ａに対して、±６０°〜７６°の角度範囲で相対照度が大きくなっている。上述したとおり、基準面Ｓから光軸方向に８ｍｍ離れた被照射平面において５０ｍｍ×５０ｍｍの矩形の被照射領域を形成する場合、矩形の中心（光軸）から各頂点までの距離は約３５．３６ｍｍとなり、頂点Ａに向かう第１の基線Ｌ１方向において、±６０°〜７６°の範囲の照度を増加させることにより、被照射領域における矩形の頂点付近を明るくすることができる。
【００７０】
図１６（Ａ）及び（Ｂ）は、それぞれ図１４（Ａ）及び（Ｂ）に示す各面光源装置７０、７（拡散部材５を除く）の点灯状態の平面写真である。図１７（Ａ）及び（Ｂ）は、それぞれ図１４（Ａ）及び（Ｂ）に示す各面光源装置７０、７（拡散部材５を含む）の点灯状態の平面写真である。図１８（Ａ）及び（Ｂ）は、それぞれ図１４（Ａ）及び（Ｂ）に示す各面光源装置（拡散部材５を含む）の輝度分布を示す図である。図１９（Ａ）及び（Ｂ）は、それぞれ図１８（Ａ）及び（Ｂ）に示す図を画像処理してムラを強調した図である。図１６（Ｂ）乃至図１９（Ｂ）では、説明のため、各矩形セル４０の頂点の位置を十字マーカで示した。比較のため、図１６（Ａ）乃至図１９（Ａ）でも、図１６（Ｂ）等に示した矩形セル４０の頂点に対応する位置を同様に十字マーカで示している。
【００７１】
本実施例の面光源装置７は、例えば、図１８（Ｂ）及び図１９（Ｂ）の点灯状態の輝度分布から明らかなように、図１８（Ａ）及び図１９（Ａ）の比較例に比べて、矩形セルのマトリクス状の配列によるムラのない明るさの照明を実現する面光源となっており、矩形セルの境界はほぼ視認できない。また、図１９（Ａ）と図１９（Ｂ）とを比較すれば明らかなように、本実施例の矩形セルによって、比較的正確な矩形の被照射領域が実現できることが示された。
【００７２】
図２０は、図１４（Ａ）及び（Ｂ）に示す各面光源装置７０、７（４灯点灯）の第１の基線Ｌ１の方向における拡散部材５上の輝度分布の計測値を示す図である。図２１は、図１４（Ａ）及び（Ｂ）に示す各面光源装置７０、７（４灯点灯）の第２の基線Ｌ２の方向における拡散部材５上の輝度分布の計測値を示す図である。
【００７３】
計測値２０Ａ及び２１Ａは、各々、面光源装置７０（比較例）による第１の基線Ｌ１の断面及び第２の基線Ｌ２の断面の輝度分布を示す。計測値２０Ｂ及び２１Ｂは、各々、本実施例の面光源装置７による第１の基線Ｌ１の断面及び第２の基線Ｌ２の断面の輝度分布を示す。図２０の横軸は、第１の基線Ｌ１方向の断面における位置に対応し、０ｍｍの位置が第１の基線Ｌ１の方向に隣接する二つの発光装置１の中心の位置に対応する。図２０の横軸は、第２の基線Ｌ２方向の断面における位置に対応し、０ｍｍの位置が第２の基線Ｌ２の方向に隣接する二つの発光装置１の中心の位置に対応する。図２０及び図２１の縦軸は、拡散部材５（被照射平面）における相対輝度であり、位置０ｍｍでの輝度を１として規格化した数値である。図２０及び図２１に示された縦軸に平行な点線は、発光装置１（光軸）の位置に対応したものである。
【００７４】
図２０及び図２１から明らかなように、本実施例の面光源装置７では、平坦な反射部材を使用する場合（比較例）に比べて、矩形セルの頂点付近（位置０ｍｍ）の輝度を発光装置１の位置（点線参照）の輝度と同程度とすることができ、矩形セルに対応する被照射平面の分割領域の輝度をある程度平均化することができ、明るさにムラのない照明を実現することができた。
【００７５】
図２２乃至図２４に矩形セルの変形例を示す。図２２（Ａ）、図２３（Ａ）及び図２４（Ａ）において、各平面領域の境界について山折りとなる境界（両平面（曲面の場合は近接する２点の接平面）の表面の成す角が１８０度より大きい境界）を実線で、谷折りとなる境界（両平面の表面の成す角が１８０度未満の境界）を点線で示し、反射領域４５は網掛けを付した。
【００７６】
図２２は、矩形セルの第１の変形例であり、（Ａ）は矩形セル４０Ｕの概略平面図、（Ｂ）及び（Ｃ）は、それぞれ矩形セル４０Ｕの第１及び第２の基線に平行な概略断面図である。図２２に示す矩形セル４０Ｕは、図５に示した矩形セル４０の形状を一部変更したものであり、点Ｐ４の位置及び高さを変更し、ｈ（Ｐ４）＝１．２５ｍｍとしたものである。すなわち、図５に示す例では、ｈ（Ｐ３）＞ｈ（Ｐ４）であり、ｈ（Ｐ３）＝１．２５ｍｍ、ｈ（Ｐ４）＝０．３６ｍｍであったところ、図２２に示す例では、ｈ（Ｐ３）＝ｈ（Ｐ４）＝１．２５ｍｍと設計した点で相違する。図２２に示す例では、反射領域４５は、頂部傾斜面の一部である点Ａ、点Ｐ１、点Ｐ４を頂点とする切片及び辺部傾斜面の一部である点Ｐ１、点Ｐ４、点Ｐ６を頂点とする切片である。図２２においては、点Ｐ１と点Ｐ６とを結ぶ境界が山折りの境界となっており、平面視三角形ＡＯＢの領域内に中心Ｏからの光を平面視において近接する頂点Ａに反射するように傾斜した山折りの境界が一つ設けられ、反射領域４５の一部を形成している。図２２に示す例では、その他の寸法を変更することなく、基板表面Ｓから被照射平面（拡散部材の内側表面）までの距離が８ｍｍの面光源装置に対応させた設計を実現でき、同様の課題を解決できることが確認されている。
【００７７】
図２３は、矩形セルの第２の変形例であり、（Ａ）は矩形セル４０Ｖの概略平面図、（Ｂ）及び（Ｃ）は、それぞれ矩形セル４０Ｖの第１及び第２の基線に平行な概略断面図である。図２３に示す矩形セル４０Ｖは、中央底面が八角形であり、八角形の各辺から頂点Ａ又は中点Ｂに向かって一定の傾斜角度の三角形の傾斜面が形成され、それらの傾斜面の間に三角錐が設けられている。図２４では、基準面Ｓ（中央底部）から高さの異なる３点（点Ａ、点Ｂ、点Ｐ１）によって傾斜部が構成されており、反射領域４５が頂部傾斜面（点Ａ、点Ｐ２、点Ｐ２の三角形切片）には設けられておらず、辺部傾斜面のみに設けられている。図２３に示す矩形セル４０Ｖにおける各点の基準面Ｓ（中央底部）からの高さは、ｈ（Ａ）＝７．０ｍｍ、ｈ（Ｂ）＝５．０ｍｍ、ｈ（Ｐ１）＝４．５ｍｍ、ｈ（Ｐ２）＝ｈ（Ｐ３）＝ｈ（Ｐ４）＝ｈ（Ｏ）＝０．０ｍｍである。このように、図２３に示す矩形セル４０Ｖでは、頂点Ａ、中点Ｂ、点Ｐ２を底面とし、点Ｐ１を頂点とする三角錐を辺部傾斜面に形成し、その面の一つである頂点Ａ、点Ｐ１、点Ｐ２を頂点とする切片を反射領域４５としたものである。図２３においては、頂点Ａと点Ｐ１とを結ぶ境界、点Ｐ１と中点Ｂとを結ぶ境界及び点Ｐ１と点Ｐ２とを結ぶ境界が山折りの境界となっており、平面視三角形ＡＯＢの領域内に中心Ｏからの光を平面視において近接する頂点Ａに反射するように傾斜した山折りの境界が二つ設けられている（頂点Ａ−点Ｐ１境界、点Ｐ１−点Ｐ２境界）。また、図２３（Ｂ）の断面図からも明らかであるが、頂部傾斜面（点Ａ、点Ｐ２、点Ｐ２の三角形切片）の傾斜角度は一定である。さらに、図２３（Ｃ）から第２の基線に平行な断面においても傾斜角度は一定である。
【００７８】
図２４は、矩形セルの第３の変形例であり、（Ａ）は矩形セル４０Ｗの概略平面図、（Ｂ）及び（Ｃ）は、それぞれ矩形セル４０Ｗの第１及び第２の基線に平行な概略断面図である。図２４に示す矩形セル４０Ｗは、反射領域４５が頂部傾斜面（点Ａ、点Ｐ４、点Ｐ４、点Ｐ６で囲まれた切片）には設けられておらず、辺部傾斜面のみに設けられている。図２４に示す矩形セル４０Ｗにおける各点の基準面Ｓ（中央底部）からの高さは、ｈ（Ａ）＝６．８３ｍｍ、ｈ（Ｐ１）＝５．８３ｍｍ、ｈ（Ｐ２）＝ｈ（Ｂ）＝４．５ｍｍ、ｈ（Ｐ３）＝１．２５ｍｍ、ｈ（Ｐ４）＝ｈ（Ｐ５）＝１．１８ｍｍ、ｈ（Ｐ６）＝ｈ（Ｐ７）＝ｈ（Ｏ）＝０．０ｍｍである。図２４に示す矩形セル４０Ｗでは、反射領域４５は、辺部傾斜面の一部である点Ａ、点Ｐ１、点Ｐ４を頂点とする切片及び辺部傾斜面の一部である点Ｐ１、点Ｐ４、点Ｐ７を頂点とする切片である。図２４においては、点Ｐ１と点Ｐ７とを結ぶ境界及び点Ｐ１と点Ｐ３を結ぶ境界が山折りの境界となっており、平面視三角形ＡＯＢの領域内に中心Ｏからの光を平面視において近接する頂点Ａに反射するように傾斜した山折りの境界が一つ設けられ（点Ｐ１−点Ｐ７境界）、反射領域４５の一部を形成している。また、図２４（Ｂ）の断面図からも明らかであるが、点Ｐ６から点Ｐ５までの傾斜角度は小さく、点Ｐ５から頂点Ａまでの傾斜角度が大きく形成されており、順次傾斜角度が大きくなる傾斜面で構成されている。さらに、図２４（Ｃ）から第２の基線に平行な断面においても傾斜角度が小さい傾斜面（点Ｐ７−点Ｐ３）と、傾斜角度が大きい傾斜面（点Ｐ３−中点Ｂ）とで形成され、順次傾斜角度が大きくなる傾斜面で構成されている。
【符号の説明】
【００７９】
１  発光装置
２  光源
３  光束制御部材
４  反射部材
５  拡散部材
６  照明装置
７  面光源装置
４０  多角形セル（矩形セル）
４２  中央底部
４４  傾斜部
４５  反射領域
４６  頂部傾斜面
４８  辺部傾斜面
５０  被照射平面
【図１】
2017224495.tif 000003
【図２】
2017224495.tif 000004
【図３】
2017224495.tif 000005
【図４】
2017224495.tif 000006
【図５】
2017224495.tif 000007
【図６】
2017224495.tif 000008
【図７】
2017224495.tif 000009
【図８】
2017224495.tif 000010
【図９】
2017224495.tif 000011
【図１０】
2017224495.tif 000012
【図１１】
2017224495.tif 000013
【図１２】
2017224495.tif 000014
【図１３】
2017224495.tif 000015
【図１４】
2017224495.tif 000016
【図１５】
2017224495.tif 000017
【図１６】
2017224495.tif 000018
【図１７】
2017224495.tif 000019
【図１８】
2017224495.tif 000020
【図１９】
2017224495.tif 000021
【図２０】
2017224495.tif 000022
【図２１】
2017224495.tif 000023
【図２２】
2017224495.tif 000024
【図２３】
2017224495.tif 000025
【図２４】
2017224495.tif 000026
【図２５】
2017224495.tif 000027
【図２６】
2017224495.tif 000028